(57)【要約】  ウェブを印刷する少なくとも１つの印刷ユニットを有するウェブ印刷機における印刷対裁断見当を制御する方法において、各印刷ユニットは、他の印刷ユニットから独立して印刷ユニットを駆動する少なくとも１つの駆動装置を有している。この方法は、印刷ユニットと横裁ち装置との間の印刷対裁断見当を設定するためにウェブ補正装置位置を予設定し、印刷ユニットの駆動装置及び／又は横裁ち装置の駆動装置を制御することによって印刷中に印刷対裁断見当を制御することを含む。周方向見当を制御する方法及び印刷機も開示されている。
2007527812.tif 000002
【特許請求の範囲】
【請求項１】
ウェブを印刷する少なくとも１つの印刷ユニットを有するウェブ印刷機における印刷対裁断見当を制御する方法において、各印刷ユニットが、あらゆる他の印刷ユニットから独立して印刷ユニットを駆動する少なくとも１つの駆動装置を有しており、前記方法が、
印刷ユニットと横裁ち装置との間の印刷対裁断見当を設定するためにウェブ補正装置位置を予設定するステップと、
印刷ユニットの駆動装置及び／又は横裁ち装置の駆動装置を制御することによって印刷中に印刷対裁断見当を制御するステップとを含むことを特徴とする、印刷対裁断見当を制御する方法。
【請求項２】
印刷ジョブの後に印刷ユニットの胴及び／又は横裁ち装置の角度位置の関数である第１の値を記憶する、請求項１記載の方法。
【請求項３】
補正装置の位置の関数である第２の値を記憶し、該第２の値が前記第１の値と一緒に記憶される、請求項２記載の方法。
【請求項４】
印刷中にウェブ補正装置の位置が維持される、請求項１記載の方法。
【請求項５】
胴が、第２の印刷ジョブのための位置に維持され、さらに、ウェブ補正装置の以前の位置と、横裁ち装置に対する胴の以前の角度位置との関数である少なくとも１つの別の値に関して、ウェブ補正装置の位置を第２の印刷ジョブのために予設定することを含み、前記少なくとも１つの別の値がメモリに記憶される、請求項２記載の方法。
【請求項６】
各印刷ランの前に印刷胴又は横裁ち装置を基準位置に予設定することを含む、請求項１記載の方法。
【請求項７】
印刷中にオペレータコンソールを介して横裁ち装置の刃に対する印刷胴の位相を調整することを含む、請求項１記載の方法。
【請求項８】
印刷中にウェブ上のマークを検出し、フィードバック制御によって、横裁ち装置の刃に対する印刷胴の位相を調整することを含む、請求項１記載の方法。
【請求項９】
ウェブを印刷する複数の印刷ユニットを有するウェブ印刷機において周方向見当を制御する方法において、各印刷ユニットが少なくとも１つの駆動装置を有しており、前記方法が、
第１の印刷ユニットと第２の印刷ユニットとの間の周方向見当を予設定するためにウェブ補正装置位置を予設定するステップと、
印刷ユニットの少なくとも１つの駆動装置を制御することによって印刷中に第１の印刷ユニットと第２の印刷ユニットとの周方向見当を制御するステップとを含むことを特徴とする、周方向見当を制御する方法。
【請求項１０】
ウェブ印刷機において、
少なくとも１つの印刷ユニットが設けられており、該印刷ユニットが、ウェブを印刷するための胴と、あらゆる他の印刷ユニットから独立して胴を駆動するための駆動モータとを有しており、
ウェブの経路長さを調整するためのウェブ補正装置が印刷ユニットの下流に設けられており、
ウェブを裁断するための横裁ち装置がウェブ補正装置の下流に設けられており、
ウェブ補正装置及び駆動モータを制御するための制御装置が設けられており、該制御装置がウェブ補正装置を所定の位置に予設定し、印刷対裁断見当を維持するために印刷中に駆動モータを制御することを特徴とする、ウェブ印刷機。
【請求項１１】
ウェブ印刷機において、
第１の印刷ユニットと、
第２の印刷ユニットと、
第３の印刷ユニットとが設けられており、ウェブが、第１、第２及び第３の印刷ユニットのうちの２つの印刷ユニットによって印刷されるように供給されることができ、
第２及び第３の印刷ユニットから独立して第１の印刷ユニットを駆動するための第１の駆動モータと、
第１の印刷ユニット及び第３の印刷ユニットから独立して第２の印刷ユニットを駆動するための第２の駆動モータと、
第１及び第２の印刷ユニットから独立して第３の印刷ユニットを駆動するための第３の駆動モータとが設けられており、
ウェブの経路長さを調整するためのウェブ補正装置が少なくとも第１の印刷ユニットの下流に配置されており、
ウェブ補正装置、第１の駆動モータ、第２の駆動モータ及び第３の駆動モータを制御するための制御装置が設けられており、該制御装置が、第１、第２及び第３の印刷ユニットの２つの印刷ユニットの間のウェブの経路に応じてウェブ補正装置を所定の位置に予設定し、２つの印刷ユニットの間の周方向見当を維持するために印刷中に駆動モータを制御することを特徴とする、ウェブ印刷機。
【発明の詳細な説明】
【技術分野】
【０００１】
本発明は概してウェブ印刷機、特に見当制御を備えたウェブ印刷機及びウェブの印刷対裁断及び／又は周方向見当を制御する方法に関する。
【０００２】
例えば新聞印刷機のためのウェブ印刷機は１つ又は２つ以上の印刷ユニットにおいて材料の連続的なウェブを印刷する。印刷機の折り機において、望まれるならばウェブは折り畳まれ、次いで裁断され、折丁が形成される。
【０００３】
米国特許第６６０１５０６号明細書及び米国特許第６６４４１８４号明細書は、ウェブオフセット印刷機を開示しており、この場合、各印刷ユニットは別個に駆動され、裁断及び／又は色見当は印刷胴の回転角度位置を予設定することによって制御される。
【０００４】
米国特許出願公開第２００３／００８４７６５号明細書は、印刷ユニットと横裁ち装置との間の位相角度調整を使用して、及び経路長さ変更装置、例えばウェブ補正装置を使用して、印刷された像に対する横裁ちを位置決めするための装置を開示している。この特許出願は、米国特許第６６０１５０６号明細書及び米国特許第６６４４１８４号明細書のように、引用により本明細書に記載されたものとする。
【０００５】
発明の簡単な概要
ウェブ補正装置を使用することのないシャフトレス印刷機における印刷対裁断見当又は周方向見当の予設定は、しばしば、各印刷ユニットのための全ての駆動モータの調和した移動を必要とする。
【０００６】
下流の横裁ち装置に関して又は同じウェブに印刷する連続する印刷ユニットに関して、印刷された像の見当を調整するためにウェブ補正装置を使用することは、しばしば、印刷中に見当を調整することができるために及び様々なジョブ要求のために裁断見当を予設定するために正確な設計を必要とする。しばしば閉ループ位相修正システムに応答する比較的小さな位相合わせ量の連続的な移動調整が必要とされる。
【０００７】
本発明の目的は印刷対裁断見当及び／又は周方向見当の効率的な予設定を可能にすることである。本発明の択一的な又は付加的な目的は、見当予設定のための、より不正確な又はよりコストの低いウェブ補正装置又は制御システムを可能にすることである。
【０００８】
本発明は、ウェブを印刷する少なくとも１つの印刷ユニットを有するウェブ印刷機において印刷対裁断見当を制御するための方法を提供し、各印刷ユニットは少なくとも１つの独立した駆動装置を有しており、前記方法が、
印刷ユニットと横裁ち装置との間の印刷対裁断見当を設定するためにウェブ補正装置位置を予設定するステップと、
印刷ユニットの駆動装置を制御することによって印刷中に印刷対裁断見当を制御するステップとを含む。
【０００９】
ここに定義されたように印刷ユニットの駆動装置を制御することによって印刷中に印刷対裁断見当を制御することは、印刷ユニットの駆動装置が見当を制御するために使用されることを意味し、これにより、ウェブ補正装置は印刷対裁断見当の印刷中の変化に応答するために制御されない。ウェブ補正装置は印刷中に所定の位置に保持されるか、又は印刷対裁断見当に関連したフィードバック制御又はオペレータ制御なしに移動させられる。
【００１０】
予設定値を調整するためにウェブ補正装置を使用し、次いで印刷中にモータを使用して印刷対裁断見当を制御することによって、印刷中のウェブ補正装置の正確な制御及び移動に対する要求が排除されることができる。
【００１１】
したがって、印刷胴の位置、例えば版胴又はブランケット胴の位置は、例えば種々異なる製品が印刷される場合に、印刷対裁断見当を変更するために予設定される必要がない。
【００１２】
印刷ジョブの最後における印刷ユニットの胴の角度位置は記憶されることができる。補正装置の位置及び横裁ち装置の角度位置も、印刷胴位置情報とともに記憶されることができる。印刷ジョブのための実際の印刷対裁断見当も計算及び記憶されることができる。
【００１３】
しかしながら、横裁ち装置位置は、各印刷ジョブの最後に基準位置に設定されることもでき、これにより、横裁ち装置位置は、補正装置位置情報とともに記憶される必要はない。
【００１４】
補正装置が次の印刷ジョブのために予設定される場合、次の印刷ジョブに対して、印刷カップルと横裁ち装置の刃との間の適切な印刷対裁断見当を提供するために情報が使用されることができる。印刷胴及び／又は横裁ち装置は全く移動させられる必要はない。適切な印刷対裁断見当は、同様の前の印刷ジョブのための印刷胴と、横裁ち装置と、補正装置との角度位置の記憶された値、及び印刷胴と横裁ち装置との現在の角度位置に基づいて設定されることができる。
【００１５】
しかしながら、横裁ち装置は各印刷ランの前に正確な同じ位置、すなわち基準位置に予設定されることもでき、適切な印刷対裁断見当を提供するために補正装置は予設定されることができる。
【００１６】
印刷中、横裁ち装置の刃に対する印刷胴の位相を調整するための駆動モータの走行調整は、印刷対裁断見当の精度を改善するために、オペレータによって、又は閉ループフィードバック制御を用いてウェブ上のマーク又はイメージを検出することによって行われることができる。複数の印刷カップルが存在する場合には、色見当がばらつかないように全ての駆動モータが同じ量だけ調整されることができる。
【００１７】
本発明は、ウェブを印刷する複数の印刷ユニットを有するウェブ印刷機における周方向見当を制御する方法をも提供し、各印刷ユニットは少なくとも１つの駆動装置を有しており、この方法は：
第１の印刷ユニットと第２の印刷ユニットとの間の周方向見当を予設定するためにウェブ補正装置位置を予設定するステップと；
印刷ユニットの駆動装置を制御することによって印刷中に第１及び第２の印刷ユニットの周方向見当を制御するステップとを含む。
【００１８】
駆動装置を制御することによって周方向見当を制御することによって、ウェブ補正装置は所定の位置に維持されることができるか、周方向見当に関連したオペレータ制御又はフィードバック制御なしに移動させられることができる。
【００１９】
本発明は、ウェブを印刷するための胴を有する少なくとも１つの印刷ユニットと、あらゆる別の印刷ユニットから独立して胴を駆動するための駆動モータとを有するウェブ印刷機をも提供し；
ウェブの経路長さを調整するための、印刷ユニットの下流におけるウェブ補正装置と；
ウェブを裁断するための、ウェブ補正装置の下流における横裁ち装置と、
ウェブ補正装置と駆動モータとを制御するための制御装置とを有しており、制御装置は、ウェブ補正装置を所定の位置に予設定し、印刷対裁断見当を維持するために印刷中に駆動モータを制御する。
【００２０】
本発明は、第１の印刷ユニットと、第２の印刷ユニットと、第３の印刷ユニットと、第１、第２及び第３の印刷ユニットの２つの印刷ユニットによって印刷されるように供給されることができるウェブと、第２及び第３の印刷ユニットから独立して第１の印刷ユニットを駆動するための第１の駆動モータと、第１の印刷ユニット及び第３の印刷ユニットから独立して第２の印刷ユニットを駆動するための第２の駆動モータと、第１及び第２の印刷ユニットから独立して第３の印刷ユニットを駆動するための第３の駆動モータと；
ウェブの経路長さを調整するために少なくとも第１の印刷ユニットの下流に配置されたウェブ補正装置と；
ウェブ補正装置及び第１、第２及び第３の駆動モータを制御するための制御装置とを有しており、制御装置が、第１、第２及び第３の印刷ユニットの２つの印刷ユニットの間におけるウェブの経路に依存した位置にウェブ補正装置を予設定し、２つの印刷ユニットの間における周方向見当を維持するために印刷中に駆動モータを制御する、ウェブ印刷機をも提供する。
【００２１】
図面の簡単な説明
以下の図は本発明の好適な実施形態を示している。
【００２２】
図１は、印刷対裁断見当制御を備えた本発明によるオフセット平版ウェブ印刷機の実施形態を示している。
【００２３】
図２は、印刷ユニット間の見当制御を備えた本発明によるオフセット平版ウェブ印刷機の実施形態を示している。
【００２４】
詳細な説明
図１は、本発明による多色オフセット平版シャフトレス印刷機を示しており、この場合、ウェブ５は印刷され、新聞等の折丁６に裁断される。
【００２５】
この実施形態において印刷ユニット１０，２０，３０，４０はそれぞれ、版胴１２と、ブランケット胴１４と、ブランケット胴１６と、版胴１８とを有している。各印刷ユニット１０，２０，３０，４０の胴１２，１４，１６，１８はそれぞれモータ１９，２９，３９，４９によって独立して駆動される。制御装置７０はモータを制御し、センサ１７からの入力を受け取ることができ、このセンサはウェブ５上のマーク又はイメージ位置を読み取ることができる。各印刷ユニット１０，２０，３０，４０は例えば、異なる色、例えば、シアン、マゼンタ、イエロー及びブラックを印刷し、４色印像を形成することができる。
【００２６】
すなわち、制御装置７０は、センサ７からの入力を使用して適切な色見当を設定するためにモータ１９，２９，３９，４９を駆動することができる。択一的に、制御盤にいるオペレータが、適切な色見当を調整するためにモータ１９，２９，３９又は４９の間の位相を変更することができる。胴１２，１４，１６，１８は示された実施例においては歯車によって連結されており、１つの駆動モータ１９によって駆動されるが、印刷ユニット１０は胴１２，１４，１６，１８のために２つ以上の駆動モータ１９を有することもできる。例えば、各印刷カップルのために駆動モータが設けられることもできる。
【００２７】
２つ以上のプロセッサを有することができる制御装置７０は、補正装置位置アクチュエータ及びセンサ５２を介してウェブ補正装置５０をも制御する。ウェブ補正装置５０は、二重矢印によって示されたように、ウェブ経路長さ、ひいては印刷ユニット１０，２０，３０，４０と、印刷機の折り機９０に配置された刃６２を有する横裁ち装置６０との間の印刷対裁断見当を変更するために移動する。横裁ち装置６０は、刃６２が作用するアンビル胴と、駆動モータ６４とを有する。駆動モータ６４は基準位置信号を提供し、これにより、駆動モータ１９，２９，３９，４９は、横裁ち装置に対する印刷ユニットの位相を調整するように調整される。しかしながら、駆動モータ６４の位相も調整がされることもできる。
【００２８】
種々異なる製品又は印刷ジョブのための所望の印刷対裁断見当は様々であり、ひいては、ウェブ補正装置５０のための様々な予設定位置がメモリ７２に記憶されている。例えば、印刷ユニット１０，２０，３０，４０は軸方向で４つの像を、すなわち周方向で１つ、印刷することができ、すなわち４：１印刷機である。次いで、ウェブは折り機９０においてスリットが形成され、種々異なる印刷対裁断見当要求を備えた様々なタブロイド又は大判の新聞の印刷ジョブを製造する。
【００２９】
適切な印刷対裁断見当は、ブランケット胴１４，１６によって形成されたニップと、アンビル胴と刃６２のニップとの間の実際のウェブ経路長さに依存し、この長さは、例えばウェブにおけるマークを読み取るセンサから、又は印刷機の構造から、及びウェブ補正装置５０の位置から知られることができる。したがって、実際の印刷対裁断見当は、カッタ６０における刃６２に対する胴１４，１６の角度位置、及びこれらの胴の寸法にも依存する。
【００３０】
引用により本明細書に組み入れられる米国特許出願公開第２００３／００８４７６５号明細書に示されているように、複数のウェブ補正装置の位置は、最後の印刷ユニットの後に予設定されることもできる。複数のウェブが他の印刷ユニットから折り機９０に供給されることもできる。
【００３１】
図２は択一的な実施形態を示しており、この場合、印刷ユニット１１０，１２０，１３０の間のウェブ経路は、例えばインプリンタユニットを使用するために変更されることができる。ウェブ５が印刷ユニット１１０と１２０との間を走行する場合にはウェブ補正装置１５０を所定の位置に予設定し、ウェブ５が印刷ユニット１１０と１３０との間を走行する場合には別の位置へ予設定することが望ましい。メモリへのアクセスを備えた制御装置１７０は、ウェブ補正装置１５０の予設定位置を記憶することができ、印刷作業の間に、印刷ユニット１１０と印刷ユニット１２０との間で、又は印刷ユニット１１０と印刷ユニット１３０との間で、周方向見当、例えば色見当、を制御することができる。すなわち、適切な周方向見当は、印刷ユニット１１０と１２０とのニップ又は印刷ユニット１１０と１３０とのニップの間の実際の経路長さ距離、及び印刷ユニット１１０及び１２０又は印刷ユニット１１０及び１３０の胴における印像の相対位置の関数である。
【００３２】
適切なアングルバーを用いて、ウェブ５は、まず最初に印刷ユニット１３０に進入し、ウェブ補正装置１５０に巻き掛けられ、印刷ユニット１２０から出てくるように案内されることもできる。
【図面の簡単な説明】
【００３３】
【図１】印刷対裁断見当制御を備えた本発明によるオフセット平版ウェブ印刷機の実施形態を示している。
【図２】印刷ユニット間の見当制御を備えた本発明によるオフセット平版ウェブ印刷機の実施形態を示している。
【符号の説明】
【００３４】
５  ウェブ、  ６  折丁、  １０，２０，３０，４０  印刷ユニット、  １２  版胴、  １４，１６  ブランケット胴、  １８  版胴、  １９，２９，３９，４９  モータ、  ５０  ウェブ補正装置、  ６０  横裁ち装置、  ６２  刃、  ６４  駆動モータ、  ７０  制御装置、  ９０  折り機、  １１０，１２０，１３０  印刷ユニット、  １５０  ウェブ補正装置、  １７０  制御装置
【図１】
2007527812.tif 000003
【図２】
2007527812.tif 000004
【国際調査報告】
2007527812.tif 000005